(57)【要約】【課題】コイルを冷却する風を妨げることなく、軽量で熱容量が小さく、さらに製造が容易であり、かつ漏洩磁界を確実に低減させた誘導加熱調理器を提供すること。【解決手段】シールドリングはリング状の板の内周および外周両端の全周または一部を下向きに折り曲げる構成としたことで、リングを板金の曲げ加工によって成形できるため材料費や製造時間が削減でき、熱容量の小さいシールドリングを実現でき、かつ側面方向の電磁波を２重に吸収させて漏洩電流の低減効果を高めるとともに、シールドリングの上面を平面に保つことにより風の流れを妨げずにコイル表面を冷却することとなる。【選択図】図３
2008117726.tif 000002
【特許請求の範囲】
【請求項１】
上下に分割され外郭を形成するケース上とケース下と、前記ケース上に設けられ、被加熱物が載置されるトッププレートと、前記トッププレート下方に配された加熱コイルと、前記加熱コイルを保持するコイルベースと、前記加熱コイルの外周にリング状に配されたシールドリングと、前記加熱コイルに電流を供給する基板と、前記基板上の部品や前記加熱コイルを冷却するファンモータと、前記ケース下に設けられた吸気口と、前記ケース下および／またはケース上に設けられた排気口とを備え、前記シールドリングはリング状の板の内周および外周両端の全周または一部を下向きに折り曲げた構成である誘導加熱調理器。
【請求項２】
シールドリングの曲げ形状が外周および内周共に周の一部分であって、リブの端は内周と外周とで同一法線上にはない構成とした請求項１に記載の誘導加熱調理器。
【発明の詳細な説明】
【技術分野】
【０００１】
本発明は、加熱コイルの電磁誘導によりトッププレートの上に置かれた磁性の鍋を加熱調理する誘導加熱調理器に関するものである。
【背景技術】
【０００２】
従来、この種の誘導加熱調理器は、加熱コイルにインバータ回路より高周波電流を流して高周波磁界（以下、磁界とする）を発生させ、その磁界によりトッププレート上に載せられた磁性の鍋底に渦電流を発生させ、その電気抵抗により鍋底が発熱するようになっている（例えば、特許文献１参照）。
【０００３】
加熱コイルから発生する磁界の多くは鍋により吸収され熱に変わるが、鍋周囲から漏れる磁界もある（漏洩磁界）。この漏洩磁界により、付近の電化製品に影響を及ぼす恐れがある。また最近では、人体に影響があることを懸念する報告があり、各社とも漏洩磁界の低減に取り組みつつある。
【０００４】
図５は、従来の誘導加熱調理器の構成を示す断面図である。
【０００５】
３は鍋などの被加熱物を載せるトッププレートで、その下方にはコイルベース６で支持された加熱コイル５が設けられている。そして漏洩磁界低減の取り組みのひとつとして、加熱コイル５からの漏洩磁界を少なくするために、加熱コイル５の外周に鋳造製のシールドリング７を設けて、加熱コイル５の横方向からの磁束を吸収させている。また、加熱コイル５の下方には、加熱コイル５などを制御する制御基板や基板上の部品や加熱コイルを冷却するためのファンモータ１２等が重なるように配置されている（例えば、特許文献２参照）。
【特許文献１】特開平１０−３０２９５３号公報
【特許文献２】特開２００６−１２０３３８号公報
【発明の開示】
【発明が解決しようとする課題】
【０００６】
しかしながら、前記従来の構成では、鋳造製であるために材料費や製造時間が大きく、また熱容量も大きいため鍋の加熱に対する熱効率の低下するという課題を有していた。
【０００７】
この課題に対して、板金を輪にすることによってシールドリングを成形する方法があるが、漏洩磁界を低減させる効果にはシールドリングの断面積が影響しているため、上記の方法では漏洩電流の低減効果が小さく、また板金の端面が上面にあるとコイル表面を冷却する風の流れを妨げるという課題を有していた。
【０００８】
本発明は、前記従来の課題を解決するもので、コイルを冷却する風を妨げることなく、軽量で熱容量が小さく、さらに製造が容易であり、かつ漏洩磁界を確実に低減させた誘導加熱調理器を提供することを目的とする。
【課題を解決するための手段】
【０００９】
前記従来の課題を解決するために、本発明の誘導加熱調理器は、上下に分割され外郭を形成するケース上とケース下と、前記ケース上に設けられ、被加熱物が載置されるトッププレートと、前記トッププレート下方に配された加熱コイルと、前記加熱コイルを保持するコイルベースと、前記加熱コイルの外周にリング状に配されたシールドリングと、前記加熱コイルに電流を供給する基板と、前記基板上の部品や前記加熱コイルを冷却するファンモータと、前記ケース下に設けられた吸気口と、前記ケース下および／またはケース上に設けられた排気口とを備え、前記シールドリングはリング状の板の内周および外周両端の全周または一部を下向きに折り曲げた構成としたものである。
【００１０】
これによって、リングを板金の曲げ加工によって成形できるため材料費や製造時間が削減でき、かつ側面方向の電磁波を２重に吸収させて漏洩電流の低減効果を高めるとともに、リングの上面を平面に保つことにより風の流れを妨げずにコイル表面を冷却することができる。
【発明の効果】
【００１１】
本発明の誘導加熱調理器は、材料費や製造時間が削減でき、かつ熱容量の小さいシールドリングが提供できる。また側面方向に２重に板金があることで、電磁波を２重に吸収させて漏洩電流の低減効果を高めることができる。さらに、リングの上面を平面に保つことにより、風の流れを妨げずにコイル表面を冷却することができる。
【発明を実施するための最良の形態】
【００１２】
第１の発明は、上下に分割され外郭を形成するケース上とケース下と、前記ケース上に設けられ、被加熱物が載置されるトッププレートと、前記トッププレート下方に配された加熱コイルと、前記加熱コイルを保持するコイルベースと、前記加熱コイルの外周にリング状に配されたシールドリングと、前記加熱コイルに電流を供給する基板と、前記基板上の部品や前記加熱コイルを冷却するファンモータと、前記ケース下に設けられた吸気口と、前記ケース下および／またはケース上に設けられた排気口とを備え、前記シールドリングはリング状の板の内周および外周両端の全周または一部を下向きに折り曲げた構成としたものである。このことにより、リングを板金の曲げ加工によって成形できるため鋳造製と比較して材料費や製造時間が削減できる。また側面方向に２重に板金があることで、電磁波を２重に吸収させて漏洩電流の低減効果を高めることができる。また、下側にリブを設けてリングの上面を平面に保つことにより、風の流れを妨げずにコイル表面を冷却することができる。
【００１３】
第２の発明は、シールドリングの曲げ形状が外周および内周共に周の一部分であって、リブの端は内周と外周とで同一法線上にはない構成としたものである。このことにより、プレス加工にて曲げの端部に必要な逃げ形状が、内周・外周の同位置に形成されないことにより、一部が極端にくびれてそこから電磁波が漏洩するのを防ぐことができる。
【００１４】
以下、本発明の実施の形態について図面を用いて説明する。なお、この実施の形態によって本発明が限定されるものではない。
【００１５】
（実施の形態１）
図１は、ケース上１とケース下２が上下に合わさって製品の外郭を構成しており、ケース上１には、耐熱強化ガラスやセラミックスからなり磁性の鍋などの被加熱物が載置されるトッププレート３が接着されている。図中のトッププレート３は四角形の平面であるが、これは丸型のものや、溝つきのものであっても特に支障はない。また、ケース上１の前部でトッププレート３よりも低い面に、液晶の表示窓を備えた操作部４が設けられている。
【００１６】
図２は、ケース上１を取り外した状態を上から見たもので、ケース下２のほぼ中央にコイルベース６に保持された加熱コイル５が設けられ、コイルベース６の下にはインバータ部の基板８が置かれ、前方には操作部の基板９が、右後方には電源部の基板１０が置かれている。また、加熱コイル５の左前方にはファンモータ１１が設けられ、インバータ部の基板８に取り付けられている発熱部品を固定したヒートシンク（図示せず）やその他の基板上の部品や加熱コイル５を冷却するための冷却風を送り込むようになっている。そのため、ケース下２のファンモータ１１の下方に円形のかご型の吸気口１３があり、この吸気口１３から離れたケース下２の側面及び底面に排気口１４が設けられている。ファンモータ１１の回転方向は、本体の上方から見て時計回りとなっており、吹き出し方向に徐々に半径が大きくなるようなＲでつながっているケーシング（図示せず）を構成したリブ（図示せず）がケース下２および一部ケース上１に設けられている。
【００１７】
加熱コイル５は、素線を束ねたより線を円盤状に巻いて構成していて、フェライト（図示せず）を放射状に配置した絶縁物で構成されたコイルベース６に載せられ、コイルホルダ１２にて挟まれて固定されている。加熱コイル５の外周には、ある一定距離だけ離してアルミや銅などの誘導加熱では発熱しにくい導電体で作られているシールドリング７が加熱コイル５の表面より下になるように設けられている。
【００１８】
シールドリング１５の断面形状は、図３に示すように上部が平板で内周および外周両端を下方に折り曲げた構成となっている。この断面形状は全周においてほぼ同一形状であるが、ファンモータ１１の上方に位置する部分（図２中では左手前方向）は、本体高さを低くするために、平板のままとなっている。曲げた部分と平板の部分の境目である曲げ形状の端部は、図４に示すように、外周曲げ形状端部７ａと内周曲げ形状端部７ｃをシールドリング７の同一法線上に設けずに、ずらして設けてある。
【００１９】
以上のように構成された誘導加熱調理器について、以下その動作、作用を説明する。
【００２０】
まず、インバータ部の基板８から高周波電流が加熱コイル５に流され、磁界が発生する。この磁界により、トッププレート３の上に載せられた磁性体の鍋（図示せず）の底に渦電流が発生し、その電流に対する電気抵抗により、鍋自体が発熱する。高周波電流の流れる加熱コイル５の周りには、内側から外側まで一様に磁界が発生しているが、加熱コイル５を保持しているコイルベース６にはフェライトが放射状に配置され、自足を反発させることにより加熱コイル５上方（トッププレート３側）の磁束密度を増やして、鍋が受ける磁界を増やしている。
【００２１】
加熱コイル５の径より鍋の方が大きい場合は、磁束のほとんどが鍋に吸収され、漏洩磁界は少なくなるが、鍋が小さくなるにつれ、加熱コイル５外周から発生する磁界が鍋に吸収されずに、鍋より外側に漏れ出していく。このような加熱コイル５の横方向から漏れ出す磁界に対して、加熱コイル５の外周にアルミ等の導電体で作られたシールドリング７を設けると、鍋の外方向に出る磁束を吸収することができる。
【００２２】
図３に示すように、シールドリング１５の内周及び外周を下側に折り曲げることで、磁束を内側及び外側で２重に吸収することができる。また、端部を下側に折り曲げることで、上面を平面に保つことができるため、加熱コイル５の上面を流れる風を妨げず、冷却性が保たれる。また、このような形状にすることで肉厚が均一となりプレス成形で加工することができるため、鋳造と比較して生産時間を短縮することができる。
【００２３】
シールドリング１５とファンモータ１１が上下に重なっている部分は、本体高さを低く保つために、シールドリング１５の曲げ形状が内周、外周共に作られていない。曲げ形状の端部をきれいに曲げ加工するには、逃げ形状を作ることが知られている。このような逃げ形状を設けると、その部分はシールドリングの断面積が小さくなる。外周及び内周の曲げ形状の端部を同一法線上に設けると、逃げ形状も同一法線上に設けられ、その部分はシールドリングの断面積が極端に小さくなり、その位置から磁束が漏れ出してしまう。
【００２４】
そこで、図４に示すように、外周曲げ形状端部７ａと内周曲げ形状端部７ｃをずらして設けることで、外周逃げ形状７ｂと内周逃げ形状７ｄもずれて設けられ、磁束が漏れるような極端なくびれを構成しないことができる。なお、図では内周の曲げ形状を外周の曲げ形状よりも大きく取っているが、逆に外周の曲げ形状を大きく設け、内周の曲げ形状を小さくしてもかまわない。
【産業上の利用可能性】
【００２５】
以上のように、本発明にかかる誘導加熱調理器は、板金加工によって形成したシールドリングによって電磁波の漏洩を効率的に低減できさせることができ、かつコイルの冷却性能も保つことができるので、電磁波の低減が望まれる誘導加熱調理器全般に適用することできる。
【図面の簡単な説明】
【００２６】
【図１】本発明の実施の形態１における加熱調理器の外観図
【図２】本発明の実施の形態１における加熱調理器の内部構成図
【図３】本発明の実施の形態１における加熱調理器の要部断面図
【図４】本発明の実施の形態１におけるシールドリングの斜視図
【図５】従来の誘導加熱調理器の要部断面図
【符号の説明】
【００２７】
１  ケース上
２  ケース下
３  トッププレート
４  操作部
５  加熱コイル
６  コイルベース
７  シールドリング
８  インバータ部の基板
９  操作部の基板
１０  電源部の基板
１１  ファンモータ
１２  コイルホルダ
１３  吸気口
１４  排気口
【図１】
2008117726.tif 000003
【図２】
2008117726.tif 000004
【図３】
2008117726.tif 000005
【図４】
2008117726.tif 000006
【図５】
2008117726.tif 000007